(57)【要約】【課題】  複数の暖房端末の設定を簡単に行うことのできる温水暖房システムを提供する。【解決手段】  運転切替スイッチ３３と十字キー３２の操作によって、それぞれの暖房端末８に対して温水温度と運転モードを個別に設定し、各暖房端末８の設定を前記表示部３４で確認可能とし、運転モードの設定で速暖運転が選択された場合には、全ての端末の運転モードを速暖運転に変更することで、熱源機１に接続される複数の暖房端末８の温水温度と運転モードを１つのリモコンで個別に設定することができ、速暖運転が選択された場合には速やかに高暖房出力の運転を行うことができる。【選択図】  図４
2018025317.tif 000002
【特許請求の範囲】
【請求項１】
圧縮機、膨張弁、空気熱交換器及び冷媒水熱交換器を冷媒配管で接続した冷凍回路と、
前記冷媒水熱交換器で加熱された水が流動する温水回路と、
当該温水回路と温水配管を介して接続する複数の暖房端末と、
前記温水回路の途中に設置され弁を開閉することで前記暖房端末への温水供給の有無を変化させる熱動弁と、
前記温水回路の途中に設置され配管内の温水を循環させる循環ポンプと、
前記暖房端末へ前記温水回路及び前記温水配管を通じて高温の温水を供給して室内温度を昇温させる暖房運転の開始指示を行うリモコンと、
当該リモコンから暖房運転開始の指示があったと判断したら、前記循環ポンプを駆動させると共に前記暖房端末へ温水が供給されるよう前記熱動弁を開弁し、前記冷凍回路内の各駆動部品を制御して前記冷媒水熱交換器に高温の冷媒が流入するよう制御する制御部とを備え、
当該制御部には複数の暖房端末に送られる温水温度を個別に設定する温水温度設定部を設け、
当該温水温度設定部で設定された温水温度よりも低い温度を再設定するセーブ運転と、
前記温水温度設定部で設定された温水温度よりも高い温度を再設定する速暖運転とを選択する運転モード設定部を設け、
前記リモコンには表示部と運転スイッチと十字キーと運転切替スイッチを設け、
当該運転切替スイッチと十字キーの操作によって、それぞれの暖房端末に対して温水温度と運転モードを個別に設定し、各端末の設定を前記表示部で確認可能とし、
前記運転モードの設定で速暖運転が選択された場合には、全ての端末の運転モードを速暖運転に変更することを特徴とする温水暖房システム。
【請求項２】
前記制御部は、各端末の運転モードの履歴をそれぞれ記憶する記憶部を有し、
前記速暖運転中に、１つの端末の運転モードの設定で通常運転又はセーブ運転が選択された場合には、速暖運転が選択されていた端末の運転モードは、前記記憶部に保存されている速暖運転が設定される以前の運転モードが設定されることを特徴とする請求項１記載の温水暖房システム。
【発明の詳細な説明】
【技術分野】
【０００１】
この発明は、ヒートポンプ装置と熱交換した温水を用いて暖房を実施可能な温水暖房システムに関するものである。
【背景技術】
【０００２】
従来、この種のものでは、１台の熱源機に対してファンコンベクタや床暖房パネルなど複数の暖房機（放熱器）を接続して、各暖房機の設置された部屋をそれぞれ暖房していたが、１台の熱源機に対して１つのリモコン等の操作部を備え、この操作部にて熱源機で加熱する温水の温度を設定し、温水温度を高く設定するすれば前記暖房機を循環する温水の温度が上昇することで暖房機の放熱量は大きくなり、部屋の温度は高く成り、温水温度を低く設定すれば暖房機を循環する温水の温度が低下することで暖房機の放熱量は小さくなり、部屋の温度は比較的に低く成る。当然のこととして温水温度が高ければ熱源機が消費する電気料金が高くなり、温水温度が低くければ熱源機が消費する電気料金が安くなる。
また、前記リモコンに運転モードの選択スイッチを備えて、「パワフルモード」では熱源機の出力を「標準モード」よりも大きくすることで、暖房機の暖房能力を向上し、「エコモード」では熱源機の出力を「標準モード」よりも小さくして電気料金の節約を行うものだった。（例えば、特許文献１）
【先行技術文献】
【特許文献】
【０００３】
【特許文献１】特許５１６５６０４号公報
【発明の概要】
【発明が解決しようとする課題】
【０００４】
しかし、この従来のものでは、１つのリモコンによって熱源機の出力と温水温度を単純に設定しているのみであるために、熱源機に接続された複数の床暖房パネル等の暖房出力（放熱量）を個別に調節することはできなかった。また、個別の調節が必要な場合は各暖房機に対応するリモコン等を備えて、各暖房機に対応する熱動弁で温水の流通量を調整してそれぞれの暖房機に必要な放熱量を調整するものであり、多数のリモコンが必要であり、暖房機の設置作業ではこれらのリモコンの接続作業も必要になることで作業工数が増加し煩雑になるものだった。
【課題を解決するための手段】
【０００５】
上記課題を解決するために、特にその構成を、圧縮機、膨張弁、空気熱交換器及び冷媒水熱交換器を冷媒配管で接続した冷凍回路と、前記冷媒水熱交換器で加熱された水が流動する温水回路と、当該温水回路と温水配管を介して接続する複数の暖房端末と、前記温水回路の途中に設置され弁を開閉することで前記暖房端末への温水供給の有無を変化させる熱動弁と、前記温水回路の途中に設置され配管内の温水を循環させる循環ポンプと、前記暖房端末へ前記温水回路及び前記温水配管を通じて高温の温水を供給して室内温度を昇温させる暖房運転の開始指示を行うリモコンと、当該リモコンから暖房運転開始の指示があったと判断したら、前記循環ポンプを駆動させると共に前記暖房端末へ温水が供給されるよう前記熱動弁を開弁し、前記冷凍回路内の各駆動部品を制御して前記冷媒水熱交換器に高温の冷媒が流入するよう制御する制御部とを備え、当該制御部には複数の暖房端末に送られる温水温度を個別に設定する温水温度設定部を設け、当該温水温度設定部で設定された温水温度よりも低い温度を再設定するセーブ運転と、前記温水温度設定部で設定された温水温度よりも高い温度を再設定する速暖運転とを選択する運転モード設定部を有し、前記リモコンには表示部と運転スイッチと十字キーと運転切替スイッチを設け、当該運転切替スイッチと十字キーの操作によって、それぞれの暖房端末に対して温水温度と運転モードを個別に設定し、各端末の設定を前記表示部で確認可能とし、前記運転モードの設定で速暖運転が選択された場合には、全ての端末の運転モードを速暖運転に変更するようにしたものである。
【発明の効果】
【０００６】
この発明によれば、運転切替スイッチと十字キーの操作によって、それぞれの暖房端末に対して温水温度と運転モードを個別に設定し、各暖房端末の設定を前記表示部で確認可能とし、前記運転モードの設定で速暖運転が選択された場合には、全ての端末の運転モードを速暖運転に変更することで、熱源機に接続される複数の暖房端末の温水温度と運転モードを１つのリモコンで個別に設定することができ、速暖運転が選択された場合には速やかに速暖運転を行うことができる。
【０００７】
また、１つの暖房端末で通常運転やセーブ運転が再設定された場合には、他の暖房端末の運転モードは記憶部に個別に記憶されている速暖運転より前の運転モード（通常運転またはセーブ運転）に速やかに移行することで、それぞれの暖房端末の状態に応じた運転に簡単に戻すことができるものである。
【図面の簡単な説明】
【０００８】
【図１】この発明の一実施形態を示す斜視図
【図２】同概略構成図
【図３】同制御ブロック図
【図４】同リモコンの正面図
【図５】同運転モード設定の説明図
【図６】同セーブ運転表示の説明図
【図７】同速暖運転表示の説明図
【図８】同運転モード表示切り替えの説明図
【図９】同運転モード時の運転状態の説明図
【発明を実施するための形態】
【０００９】
次に、この発明の一実施形態における温水暖房システムを図に基づいて説明する。
１は室外に設置される温水暖房システムの熱源機であり、当該熱源機１は、内部に設置された水平仕切り板２により上下の２室に分割された構造となっており、上方には温水が循環する温水配管で構成された温水回路３が設置された温水回路室４、下方には冷媒が循環する冷媒配管で構成されたヒートポンプ装置としての冷凍回路５が設置された冷凍回路室６を備えている。
【００１０】
７は前記温水回路室４と室内に設置された床暖房パネル等で構成される暖房端末８とを配管で接続し、温水回路３で加熱された温水を暖房端末８へ送水する往き側温水配管、９は当該暖房端末８での放熱により温度低下した温水を温水回路３へ戻す戻り側温水配管であり、往き側温水配管７と戻り側温水配管９とで構成される温水配管内を温水が循環することで、暖房端末８による暖房運転を可能としている。
なお、当該暖房端末８は複数の室内にそれぞれ設置することが可能であり、複数の暖房端末８に対してそれぞれ往き側温水配管７及び戻り側温水配管９を接続することで、前記暖房端末８が設置された複数の室内について、それぞれ暖房運転が可能である。
【００１１】
前記温水回路室４内に設置された温水回路３には、冷凍回路５内を流動する冷媒と温水回路３内を流動する水とが熱交換する冷媒水熱交換器１０と、キャビテーションなどで温水中に生じた気泡の分離（気水分離機能）及び温水回路３における膨張温水の吸収及び冷温水の補給を行うシスターンタンク１１と、温水回路３内の温水を循環させ温水配管を介して暖房端末８へ温水を供給する循環ポンプ１２と、温水回路３と往き側温水配管７との接続部に設置され弁を開閉することで暖房端末８への温水供給の有無を変化させる熱動弁１３と、戻り側温水配管９と温水回路３との接続部に設置され暖房端末８から戻ってきた温水の温度を検知する戻り温度センサ１４と、冷媒水熱交換器１０で加熱された温水の温度を検知する往き温度センサ１５と、冷媒水熱交換器１０に設置され熱交換器の表面温度を検知する冷媒水熱交センサ１６とが各所に配置されている。
なお、前記熱動弁１３及び前記戻り温度センサ１４は各暖房端末８に対して１つずつ設置される構成であり、例えば、暖房端末８が４つの室内にそれぞれ設置されていれば、各暖房端末８と接続する往き側温水配管７及び戻り側温水管１０と温水回路３との接続部に対して、熱動弁１３と戻り温度センサ１４とがそれぞれ１つずつ設置される。
【００１２】
前記冷凍回路室６内に設置された冷凍回路５には、冷媒を圧縮して高温・高圧にする圧縮機１７と、冷媒を減圧させて低温の冷媒にする膨張弁１８と、送風ファン１９により送風された空気の熱で冷媒を加熱する空気熱交換器２０と、当該空気熱交換器２０に設置され熱交換器の表面温度を検知する空気熱交センサ２１と、前記圧縮機１７で圧縮された冷媒の温度を検知する吐出温度センサ２２とが各所に配置されており、前記圧縮機１７から吐出された冷媒が冷媒接続バルブ２３を介して温水回路室４内の前記冷媒水熱交換器１０へ案内され、前記冷媒水熱交換器１０で温水回路３の温水と熱交換した冷媒が冷媒接続バルブ２３を介して膨張弁１８へ流入することで、冷媒回路５内の冷媒が循環する構成となっている。
【００１３】
また、前記冷凍回路室６には熱源器１周囲の温度を検知する外気温センサ２４が設置されており、前記空気熱交センサ２１での検知温度と外気温センサ２４での検知温度の差に基づいて除霜運転の実施有無を決定する。
【００１４】
２５は暖房端末８が配置された室内の壁等に設置されたリモコンであり、当該リモコン２５には、暖房端末８による暖房運転の開始有無が決定可能な運転スイッチ２６と、中央の決定スイッチ２７を中心に上スイッチ２８・下スイッチ２９・右スイッチ３０・左スイッチ３１が上下左右に配置された十字キー３２と、運転モードの切替を行う運転切替スイッチ３３と、前記暖房端末８の暖房運転の有無や現在の設定温度、運転モード等について表示する液晶表示部から成るディスプレイ３４が備えられている。
【００１５】
前記ディスプレイ３４は接続されているＡ〜Ｄ面４個の暖房端末８の運転状況を表示するものであり、図４ではＡ面の運転状況を表示している。ディスプレイ３４の中央には暖房端末８の設置場所である「リビング」（この名称は詳述しないが使用者の好みに応じて自由に変更可能である）と現在「運転中」かが表示される（停止中の場合は「停止」が表示される。右側の棒グラフとレベルの数字はＡ面の暖房端末８の暖房運転時における室内の温度について表示しており、前記十字キー３２の上下スイッチ２８・２９の押圧で複数の設定値から選択可能なものである。ディスプレイ３４の上部に表示されるＡ〜Ｄは現在の表示が、どの面に対応するものであるかを示すために設けられており、「Ａ」の表示と前記ディスプレイ３４の中央が繋がっていることで現在の表示がＡ面の運転状況を示すものである。この状態から前記十字キー３２の右スイッチ３０を押圧すれば、順次Ｂ面・Ｃ面・Ｄ面と表示が切り替わり、左スイッチ３１を押圧すればＡ面側に順次表示が戻り、各面の表示状態で運転スイッチ２６や上下スイッチ２８・２９で各面の設定変更ができるものである。
【００１６】
前記運転切替スイッチ３３を押圧した場合には、前記ディスプレイ３４の画面が運転モードの選択画面に切り替わり、十字キー３２の上下スイッチ２８・２９の押圧で運転モードの変更を行うことができる。
【００１７】
３５は熱源機１内に設置された循環ポンプ１２や熱動弁１３等の駆動部品の動作を制御するマイコンで構成された制御部であり、前記リモコン２５で暖房運転の開始指示が出されたら、戻り温度センサ１４や往き温度センサ１５等での検知温度に応じて循環ポンプ１２の駆動有無や、Ａ〜Ｄ面４個の暖房端末８の運転状況に対応した熱動弁１３の開閉等を適宜実行する。
【００１８】
３６は制御部３５内に備えた温水温度設定部で、リモコン２５の十字キー３２の操作で設定された各暖房端末８に対応する温水温度を設定する。３７は制御部３５内に備えた運転モード設定部で、リモコン２５の運転切替スイッチ３３と十字キー３２の操作で設定された各暖房端末８に対応する運転モードを設定する。３８は記憶部で、運転モード設定部３７で設定された各暖房端末８に対応する運転モードの経歴を記憶する。
【００１９】
３９は前記リモコン２５と制御部３５とを電気配線で接続する信号線であり、リモコン２５で出された各種指示を制御部３５に対して電気信号で送信可能とする。４０は戻るスイッチで、リモコン２５の操作を間違えて操作した場合に、押圧すると前回の操作画面まで逆戻りする。また、戻るスイッチ４０を３秒以上長押しすることで、全てのスイッチ操作をキャンセルする、チャイルドロックの機能も兼用するものである。４１はタイマースイッチで、予め設定されたタイマー時間に沿ってタイマー運転を行うことを選択するスイッチである。前記熱源機１に電力を供給するための電源は、単相１００Ｖ、単相２００Ｖ、３相２００Ｖ等の商用電源に電源線（図示せず）で接続される。
【００２０】
次に、本実施形態における暖房運転時の動作について説明する。
まず、暖房端末８が設置された部屋にあるリモコン２５の運転スイッチ２６が操作されたら、制御部３５は、冷凍回路５の空気熱交センサ２１や吐出温度センサ２２での検知温度に基づいて圧縮機１７及び送風ファン１９を所定の回転数で駆動させ、膨張弁１８の弁開度が所定の開度となるよう制御することで、圧縮機１７から吐出した冷媒が冷媒水熱交換器１０、膨張弁１８、空気熱交換器２０の順に流通する。
【００２１】
これにより、低温・低圧で吸入されたガス状態の冷媒が前記圧縮機１７で圧縮されて高温・高圧のガスになった後、前記冷媒水熱交換器１０（凝縮器として機能）において温水回路３内の水に熱を放出しながら高圧の液体に変化する。このようにして液体になった冷媒は、前記膨張弁１８で減圧されて低圧の液体になり蒸発しやすい状態となる。その後、低圧の液体が前記空気熱交換器２０（蒸発器として機能）において蒸発してガスに変化することで外気から吸熱する。そして冷媒は、低温・低圧のガスとして再度前記圧縮機１７内に流入し高温・高圧のガスに変化する。
【００２２】
このとき、温水回路３内の循環ポンプ１２が駆動すると、冷媒水熱交換器１０で加熱された温水回路３内の温水は、複数の暖房端末８の中で暖房運転を実施するものへ通じる往き側温水配管７へ温水が流入するよう熱動弁１３が開弁していることで、暖房端末８内に温水が流入し室内空気に放熱して室内温度を昇温させ、その後、冷媒水熱交換器１０とシスターンタンク１１を通過して再度前記循環ポンプ１２へ戻る。前記Ａ〜Ｄ面４個の暖房端末８の温度設定や運転モード等運転状況に対応した熱動弁１３の開閉を適宜実行して各暖房端末８の温度調節を行う。
このように温水回路３内の温水と冷凍回路５内の冷媒とが循環することで、冷媒水熱交換器１０にて温水回路３内の水が加熱され、暖房端末８が設置された室内空気の温度を上昇させる暖房運転が実施可能となる。
【００２３】
次に、リモコン２５の各スイッチ操作と表示部３４の表示について説明する。表示部３４は運転中、停止中にかかわらず２４時間常に表示を行う。十字キー３２の右スイッチ３０を押圧すれば、順次Ｂ面・Ｃ面・Ｄ面と表示が切り替わり、左スイッチ３１を押圧すればＡ面側に順次表示が戻り、各面の表示状態での運転スイッチ２６の押圧で各面の運転と停止が設定され、上下スイッチ２８・２９の押圧で各面の温水設定温度が設定変更され、運転切替スイッチ３３の押圧で運転コースの選択が行われ、タイマースイッチ４１の押圧でタイマー運転に切り替わる。表示部３４はそれぞれのスイッチ操作に応じて表示を変化する。
【００２４】
次に、運転切替スイッチ３３の操作による運転モードの設定手順と表示部３４の変化について、図４〜９に沿って説明する。
まず、リモコン２５の運転スイッチ２６が操作され、各暖房端末８へ高温の温水を流入することで室内空気の温度を上昇させる暖房運転が実施される。運転切替スイッチ３３を押圧すれば表示部３４は、図５に示す運転切替メニューに変化し、十字キー３２の下スイッチ２９を押圧すると選択が図５−Aで示すように選択表示が通常運転からセーブ運転に変化し、この状態で決定スイッチ２７を押圧すればＡ面のセーブ運転が決定し、図６−Ａのように「セーブ」の黒抜き文字が表れる。図９で示す様に、Ａ面に対応する端末８の温水温度が設定温度よりも５度下げられ、圧縮機の最高周波数が５０Ｈｚになる。この状態で十字キー３２の右スイッチ３０を押圧すれば、図６−Ｂに表示が切り替わり、更に右スイッチ３０を押圧すれば、図６−Ｃ、Ｄの順に表示が切り替わり、Ｂ面、Ｃ面、Ｄ面に対応する端末８は通常運転を続ける。
【００２５】
次に、図６−Ｃの画面（運転状態）において、運転切替スイッチ３３を押圧すれば表示部３４は、前記運転切替メニューに変化し、十字キー３２の下スイッチ２９を２回押圧すると図５−Ｂで示すように選択表示が通常運転から速暖運転に変化し、この状態で決定スイッチ２７を押圧すればＣ面の速暖運転が決定し、図７−Ｃのように「速暖」の黒抜き文字が表れる。速暖運転の場合には暖房の熱量が不足気味の時に、熱源機１全体を最高出力で運転可能とするために、速暖運転の設定を行っていないＡ面、Ｂ面、Ｄ面も含めて全ての暖房端末８で速暖運転を行い、全ての面に対応する端末８の温水温度が設定温度よりも８度上昇し、圧縮機の最高周波数が９０Ｈｚに上げられる。
【００２６】
次に、図７−Ｃの画面から左スイッチ３１を押圧すれば、図７−Ｂに表示が切り替わり、図７−Ｂの画面で運転切替スイッチ３３を押圧し、前記のセーブ運転の選択と同様の動作を行えば、図８−Ｂの表示に切り替わり、Ｂ面のセーブ運転を開始する、これと同時に、Ａ面、Ｃ面、Ｄ面に対応する端末８の運転モードで、速暖運転より前の履歴が記憶部３８から読み出されＡ面、Ｃ面、Ｄ面の運転モードに設定される。
【００２７】
即ち、Ａ面では図８−Ａで示す様に速暖運転より前に行われていたセーブ運転が設定され、Ｃ面、Ｄ面では図８−Ｃで示す様に速暖運転より前に行われていた通常運転が設定される。このように通常運転とセーブ運転が混在する場合は、単純に熱動弁１３の調節によってセーブ運転に対応する端末に循環する温水の循環量を変化することでそれぞれの端末の温度調整をすることができる。
【００２８】
運転モード設定は速暖運転の場合のみ、全画面と端末が速暖運転に切り替わり、直近の運転モード設定を優先させ、通常運転やセーブ運転が選択された場合には、各端末に於いて前回の運転モード設定に戻って運転が行われるものである。
【００２９】
このように、運転切替スイッチ３３と十字キー３２の操作によって、それぞれの暖房端末８に対して温水温度と運転モードを個別に設定し、各暖房端末８の設定を前記表示部３４で確認可能とし、運転モードの設定で速暖運転が選択された場合には、全ての端末の運転モードを速暖運転に変更することで、熱源機１に接続される複数の暖房端末８の温水温度と運転モードを１つのリモコンで個別に設定することができ、速暖運転が選択された場合には速やかに高暖房出力の運転を行うことができる。
【００３０】
また、１つの暖房端末８で通常運転やセーブ運転が再設定された場合には、他の暖房端末８の運転モードは記憶部３５に個別に記憶されている速暖運転より前の運転モード（通常運転またはセーブ運転）に速やかに移行することで、それぞれの暖房端末の状態に応じた運転に簡単に戻すことができるものである。
【００３１】
なお、本実施形態で用いたその他の構成は一例として提示したものであり、発明の範囲を限定することは意図しておらず、その他の様々な形態で実施されることが可能であり、暖房端末８を床暖パネルのみを例にとって説明したが、暖房機能を備えた温水ルームヒータや他の専用端末を適用してもよく、また、リモコン２５を１台のみの使用で説明したが、リモコン２５を２台使用し、それぞれのリモコン２５に２個の端末８を振り分けても良いものであり、発明の要旨を逸脱しない範囲において、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００３２】
１    熱源機
３    温水回路
５    冷凍回路
７    往き側温水配管
８    暖房端末
９    戻り側温水配管
１０    冷媒水熱交換器
１２    循環ポンプ
１３    熱動弁
１７    圧縮機
１８    膨張弁
２０    空気熱交換器
２５    リモコン
３２    十字キー３２
３３    運転切替スイッチ
３４    表示部
３５    制御部
【図１】
2018025317.tif 000003
【図２】
2018025317.tif 000004
【図３】
2018025317.tif 000005
【図４】
2018025317.tif 000006
【図５】
2018025317.tif 000007
【図６】
2018025317.tif 000008
【図７】
2018025317.tif 000009
【図８】
2018025317.tif 000010
【図９】
2018025317.tif 000011